(57)【要約】【課題】  上半身及び下半身へ個別に要求される好適なマッサージを施すことができる上下半身水圧マッサージ機を提供することにある。【解決手段】  人が臥して用いる臥式の水圧マッサージ機３７において、水槽１内に、人に可撓膜を介して噴射水を付与するノズル２が設けられ、該ノズル２は上半身側と下半身側とにそれぞれ設けられ、上半身側のノズル２に係る移動範囲及び／又は移動速さが、下半身側のノズル２に係る移動範囲及び／又は移動速さとは異なり、ノズル２は、台８に載設された歯車２０の上部に設けられ、上半身側の台８には、回転中心軸４３から遠い距離にノズル２が設けられ、下半身側の台８には、回転中心軸４３から近い距離にノズル２が設けられる上下半身水圧マッサージ機である。【選択図】      図１
2006212100.tif 000002
【特許請求の範囲】
【請求項１】
人が臥して用いる臥式の水圧マッサージ機（３７）において、
水槽（１）内に、人に可撓膜（６）を介して噴射水を付与するノズル（２）が設けられ、該ノズル（２）は水槽（１）上に臥す人の上半身側と下半身側とにそれぞれ設けられ、上半身側のノズル（２）に係る移動範囲及び／又は移動速さが、下半身側のノズル（２）に係る移動範囲及び／又は移動速さとは異なることを特徴とする上下半身水圧マッサージ機。
【請求項２】
ノズル（２）は台（８）又は固定台（３８）に載設され、上半身側と下半身側の内、マッサージを重視する側を移動不自在な固定台（３８）とし、マッサージを重視しない側を縦方向に移動する台（８）としたことを特徴とする請求項１記載の上下半身水圧マッサージ機。
【請求項３】
ノズル（２）は、台（８）に載設された歯車（２０）の上部に設けられ、
上半身側の台（８）には、回転中心軸（４３）から遠い距離にノズル（２）が設けられ、下半身側の台（８）には、回転中心軸（４３）から近い距離にノズル（２）が設けられることを特徴とする請求項１記載の上下半身水圧マッサージ機。
【請求項４】
ノズル（２）は、台（８）に載設された歯車（２０）の上部に設けられ、上半身側と下半身側の各歯車（２０）は水平面状に回動し、
上半身側と下半身側の各台（８）の身長方向に移動する速度、及び各台（８）の歯車（２０）の回動する速度はそれぞれ調節可能であり、
上半身側と下半身側の内、マッサージを重視する側のノズル（２）は、水平面状の回動を低速に行ない、及び身長方向への移動を低速に行ない又は停止し、
重視しない側のノズル（２）は水平面状の回動及び身長方向への移動を高速に行なうことを特徴とする請求項１記載の上下半身水圧マッサージ機。
【請求項５】
ノズル（２）は台（８）に載設され、上半身側と下半身側の各台（８）は身長方向移動のストロークがそれぞれ調節可能であり、
マッサージを重視する人体部位の身長方向長さに対応して、ノズル（２）の移動ストロークを設定できることを特徴とする請求項１記載の上下半身水圧マッサージ機。
【発明の詳細な説明】
【技術分野】
【０００１】
本発明は、マッサージを受けようとする臥姿勢の人体（＝以下患者という）の頸部、体幹及び下肢を、噴射水圧によりマッサージする上下半身水圧マッサージ機に関する。
【背景技術】
【０００２】
従来の技術には、水槽、シート、左右ノズル等からなるウォーターベッド式マッサージ機が開示されている。
【０００３】
従来の技術は、前記左右ノズルを臥した患者の身長方向（以下縦方向という）に向けて移動させながら左右対称に回動させ臥した患者の肩幅方向（以下横方向という）に移動させることによってマッサージを行ない、患者の背中に存在する各種のツボを全体的に刺激することができる。
【特許文献１】特開２００３−２６０１０３号公報
【発明の開示】
【発明が解決しようとする課題】
【０００４】
解決しようとする問題点は、従来の技術には、上半身のマッサージと下半身のマッサージを適宜異なるマッサージとし患者毎に適応したマッサージを行なう構成、作用は開示されておらず、従って、上半身及び下半身へ個別に要求される好適なマッサージを施すものではないという点である。
【課題を解決するための手段】
【０００５】
本発明の目的は、上記要望に応えたものであり、上半身及び下半身へ個別に要求される好適なマッサージを施すことができる上下半身水圧マッサージ機を提供することにある。
本発明は、人が臥して用いる臥式の水圧マッサージ機（３７）において、水槽（１）内に、人に可撓膜（６）を介して噴射水を付与するノズル（２）が設けられ、該ノズル（２）は水槽（１）上に臥す人の上半身側と下半身側とにそれぞれ設けられ、上半身側のノズル（２）に係る移動範囲及び／又は移動速さが、下半身側のノズル（２）に係る移動範囲及び／又は移動速さとは異なることを特徴とする上下半身水圧マッサージ機である。
又、ノズル（２）は台（８）又は固定台（３８）に載設され、上半身側と下半身側の内、マッサージを重視する側を移動不自在な固定台（３８）とし、マッサージを重視しない側を縦方向に移動する台（８）とする。
更に、ノズル（２）は、台（８）に載設された歯車（２０）の上部に設けられ、上半身側の台（８）には、回転中心軸（４３）から遠い距離にノズル（２）が設けられ、下半身側の台（８）には、回転中心軸（４３）から近い距離にノズル（２）が設けられる。
更に又、ノズル（２）は、台（８）に載設された歯車（２０）の上部に設けられ、上半身側と下半身側の各歯車（２０）は水平面状に回動し、上半身側と下半身側の各台（８）の身長方向に移動する速度、及び各台（８）の歯車（２０）の回動する速度はそれぞれ調節可能であり、上半身側と下半身側の内、マッサージを重視する側のノズル（２）は、水平面状の回動を低速に行ない、及び身長方向への移動を低速に行ない又は停止し、重視しない側のノズル（２）は水平面状の回動及び身長方向への移動を高速に行なう。
又、ノズル（２）は台（８）に載設され、上半身側と下半身側の各台（８）は身長方向移動のストロークがそれぞれ調節可能であり、マッサージを重視する人体部位の身長方向長さに対応して、ノズル（２）の移動ストロークを設定できる。
【発明の効果】
【０００６】
本発明は、上半身側のノズル２に係る移動範囲及び／又は移動速さが、下半身側のノズル２に係る移動範囲及び／又は移動速さとは異なる。
上記構成によれば、上半身側のマッサージに係るノズル２の作動態様と下半身側のマッサージに係るノズル２の作動態様が異なるので、患者の上半身及び下半身のそれぞれに、好適なノズル移動範囲及び好適なノズル移動速度をもって患者毎に好適なマッサージを付与でき、好都合である。
【０００７】
本発明は、台８にノズル２が載設され、上半身側と下半身側の内、マッサージを重視する側は、縦方向に移動不自在な固定台３８とし、重視しない側は、縦方向に移動する台８としたものであるから、例えば、下半身より上半身のマッサージを重視する場合は、上半身側は縦方向に移動不自在に取着した固定台３８とし平面方向に円軌跡に回動するノズル２をもって、上半身へ円状移動の水圧マッサージが行なえる。又、下半身側の台８は縦方向に直線的に移動し、縦移動及び平面方向円軌跡に回動するノズル２をもって、下半身へ縦方向移動と円状移動の複合移動の水圧マッサージが行なえ、上・下半身共に患者毎の要望に応じた好適なマッサージを付与でき、好都合である。
【０００８】
本発明は、上半身側の台８には、回転中心軸４３から遠い距離にノズル２が設けられ、下半身側の台８には、回転中心軸４３から近い距離にノズル２が設けられるから、上半身は大径に回動するノズル２で広範囲にマッサージができ、下半身は小径に回動するノズル２で小範囲にマッサージができ、上・下半身共に患者体型の対象面積に応じた範囲に好適なマッサージを付与でき、好都合である。
【０００９】
本発明は、上半身側と下半身側の内、マッサージを重視する側のノズル２は、水平面状の回動を低速に行ない、及び縦方向への移動を低速に行ない又は固定し、又、重視しない側のノズル２は水平面状の回動及び縦方向への移動を高速に行なうものであるから、例えば、上半身のマッサージを重視する場合は、上半身側のノズル２をゆっくり移動させながら上半身へ水圧マッサージを付与でき、下半身側のノズル２は早く移動させながら下半身へ水圧マッサージを付与でき、上・下半身共に患者毎の要望に応じた好適なマッサージを付与でき、好都合である。
【００１０】
本発明は、上半身側と下半身側の各台８は縦方向移動のストロークがそれぞれ調節可能であり、マッサージを重視する部位の縦方向長さに対応して、ノズル２の移動ストロークを設定できるから、マッサージ付与に係る重点位置に付いては、当該重点位置の下方（＝低位置）に至らせた台８の長手方向の移動に係るストロークを当該重点位置の大きさに合わせ実施でき、患者の重点部位に対して集中的、重点的に好適なマッサージが行なえ、好都合である。
【発明を実施するための最良の形態】
【００１１】
上半身及び下半身へ個別に要求される好適なマッサージを施すことができる水圧マッサージ機３７を提供する目的を、上半身側のノズル２に係る移動範囲及び／又は移動速さの値が、下半身側のノズル２に係る移動範囲及び／又は移動速さの値とは異なるものになした臥式の上下半身水圧マッサージ機をもって、実現した。
【実施例１】
【００１２】
図１及び２に本発明の実施例１を示している。
実施例１は、水を満たす水槽１と、該水槽１内にあって、水を噴射するノズル２を有し該ノズル２を水槽１の縦方向及び横方向に移動させるノズル機構３と、ノズル機構３に水槽１の水を供給する循環機構４と、水槽１の開口部５を水密に覆う可撓な可撓膜６とからなる。
【００１３】
水槽１は平面視長方形の容器であり、水を収容する。水槽１の上面は開口してなる開口部５である。
尚、水槽１の形状は、平面視長方形に限定されるものではなく、平面視楕円形又は正方形又は適宜な任意な形状であってもよい。
【００１４】
前記可撓膜６は、伸縮材で製作され、開口部５を覆って、水槽１の全周縁に止着される。患者は可撓膜６上に臥し、マッサージを受ける。
【００１５】
前記ノズル機構３は、水槽１の底壁７に載置され水槽１の縦方向に移動可能な台８と、台８の上部に形成されるノズル２と、該ノズル２を水平面に回動させ水槽１の横方向に移動させる上・下半身回動機構９ａ・９ｂと、台８を水槽１の縦方向に移動させる上・下半身縦移動機構１０ａ・１０ｂとからなる。
【００１６】
台８の胴部には雌ネジ１２が設けられ、台８の側面には取水口１３が設けられる。
台８の下部には底壁７を転動する車輪１４が設けられる。
【００１７】
台８の上面にはノズル円盤１１が回動可能に設けられる。
上半身側の台８には、直径の大きい大径ノズル円盤１１ａが載設され、下半身側の台８には、直径の小さい小径ノズル円盤１１ｂが載設される。
ノズル円盤１１の外周には、歯車２０が形成される。二つのノズル円盤１１・１１を隣り合わせに並設し、両ノズル円盤１１のそれぞれの歯車２０を噛み合わせる。
ノズル円盤１１の他の例では、ノズル円盤の回動中心の回動中心軸に、ノズル円盤とは別の歯車が設けられ、ノズル円盤と歯車が一組となる。
ノズル円盤と歯車の組を二組隣り合わせに並設し、両歯車を噛み合わせる。
【００１８】
ノズル２は歯車２０の上部に設けられており、該ノズル２は、歯車２０内のノズル円盤１１の上面に、内部空洞５２に連通して開けられる孔であり、前記空洞５２に充満する水を上方向へ噴射するものである。
ノズル円盤１１の回転中心軸４３の内部は空洞であり、取水口１３から得た水をノズル円盤１１へ導いている。
直径の大きい大径ノズル円盤１１ａでは、回転中心軸４３から遠い距離にノズル２が設けられ、直径の小さい小径ノズル円盤１１ｂでは、回転中心軸４３から近い距離にノズル２が設けられる。
【００１９】
縦移動機構１０は、水槽１の縦方向に掛け渡され台８を移動させる上・下半身移動ネジ軸１５ａ・１５ｂと、該上・下半身移動ネジ軸１５ａ・１５ｂを回動させ水槽１の外側に設けられる上・下半身移動モータ１６ａ・１６ｂとからなる。
上・下半身移動ネジ軸１５ａ・１５ｂは、各台８の雌ネジ１２に螺合される。
【００２０】
回動機構９は、水槽１の縦方向に掛け渡されノズル円盤１１に接してこれを回動させる上・下半身回動用軸１７ａ・１７ｂと、該上・下半身回動用軸１７ａ・１７ｂを回動させ水槽１の外側に設けられる上・下半身側回動用モータ１８ａ・１８ｂとからなる。
【００２１】
上・下半身回動用軸１７ａ・１７ｂのそれぞれには、ウォームギア１９が当該軸と一体に回動すると共に当該軸に摺動自在に設けられ、該ウォームギア１９・１９は各ノズル円盤１１・１１の外周に設けられる歯車２０に噛合され、この噛合により上・下半身回動用軸１７ａ・１７ｂの回動はノズル円盤１１に伝動する。
【００２２】
循環機構４は、水槽１内の水を上・下半身ポンプ２１ａ・２１ｂで吸入し圧縮し、ノズル２へ付与し、ノズル２から噴射し、噴射した水は水槽１へ収集し、循環させるものである。
具体的には、前記上・下半身ポンプ２１ａ・２１ｂは、水槽１内の水を、底壁７に開設された吸入口２２（上半身吸入口２２ａ・下半身吸入口２２ｂ）から循環管路２３を介して吸入し、加圧し、加圧した加圧水を前記ノズル２へ付与し、ノズル２から噴射させるものである。
【００２３】
前記上・下半身ポンプ２１ａ・２１ｂの吐水口２４・２４に基端が取着された循環管路２３の先端は、側壁６の出水口２６・２６に至り、ホース２５・２５で出水口２６・２６と台８・８の取水口１３・１３が接続される。
前記加圧水は、台８の内部において適宜流路（図示省略）を通ってノズル２に導かれる。
前記ノズル２から加圧水が噴射され、この噴射水は、可撓膜６を介して患者に当たり、患者をマッサージする。
【００２４】
図１に示す電気的構成を説明する。
電気的構成は、上半身制御系と下半身制御系とからなる。
上半身制御系の内、商用電源２７と、商用電力を得て作動する上半身ノズル円盤回転方向制御器２８ａと、該上半身ノズル円盤回転方向制御器２８ａに接続され上半身回動モータ１８ａを駆動させる上半身回動制御器２９ａとで上半身回動モータ１８ａを駆動する電気回路ブロックが構成される。
【００２５】
上半身制御系の内、商用電源２７と、商用電力を得て作動する上半身台移動方向制御器３０ａと、上半身モータ回転速度制御器３１ａと、上半身移動範囲制御器３２ａと、同期制御器３３とで上半身移動モータ１６ａを駆動する電気回路ブロックが構成される。
【００２６】
上半身台移動方向制御器３０ａは、台８を往動（患者の頭側へ移動）させるか復動（患者の足側へ移動）させるかを制御する。
同期制御器３３は、上半身側の台８と下半身側の台８とが、同期して互いに同方向に動くように制御し、又は、同期して互いに逆方向に動くように制御し、又は、非同期に動くように、上半身移動モータ１６ａと下半身移動モータ１６ｂとを制御するものである。
【００２７】
下半身制御系は前記上半身制御系と略同等である。
即ち、下半身制御系の内、商用電源２７と、下半身ノズル円盤回転方向制御器２８ｂと、下半身回動制御器２９ｂとで下半身回動モータ１８ｂを駆動する電気回路ブロックが構成される。
【００２８】
又、商用電源２７と、下半身台移動方向制御器３０ｂと、下半身モータ回転速度制御器３１ｂと、下半身移動範囲制御器３２ｂと、同期制御器３３とで下半身移動モータ１６ｂを駆動する電気回路ブロックが構成される。
前記上・下半身ノズル円盤回転方向制御器２８ａ・２８ｂは、ノズル円盤１１の回転方向を正転とするか逆転とするかの制御、及び、ノズル円盤１１を全回転とするか所定角度の途中回転とするかの制御等を行なう。
【００２９】
上・下半身モータ回転速度制御器３１ａ・３１ｂは上・下半身側のそれぞれの台８・８の縦方向の移動の速さを個別に設定するものである。前記設定は異なる値に設定できる。
上・下半身側移動範囲制御器３２ａ・３２ｂは上・下半身側のそれぞれの台８の縦方向の移動範囲を個別に設定するものである。前記設定は異なる値に設定できる。
上・下半身回動制御器２９ａ・２９ｂは上・下半身側のそれぞれノズル円盤１１の回動速さを個別に設定するものである。前記設定は異なる値に設定できる。
【００３０】
上・下半身モータ回転速度制御器３１ａ・３１ｂを各個別に任意な値に設定でき、上・下半身回動制御器２９ａ・２９ｂを各個別に任意な値に設定できるので、上・下半身側の各ノズル２の内、一方のノズル２を、回動を低速に、且つ縦移動を低速（又は縦移動を停止）に設定でき、他方のノズル２の回動を高速に、且つ縦移動を高速に設定できる。
【００３１】
上・下半身移動範囲制御器３２ａ・３２ｂとは、上・下半身側のそれぞれの台８の縦方向のストロークを、上・下半身に係る各マッサージ部位の大きさ（主として縦方向の長さ）に対応して個別に異なる値に設定でき、設定したストロークの値のもとに上・下半身縦移動機構１０ａ・１０ｂが制御され、上・下半身側の各ノズル２は異なるストロークで縦移動するものである。
【００３２】
商用電力を得て作動する上・下半身ポンプ制御器３３ａ・３３ｂで、上・下半身ポンプ２１ａ・２１ｂの駆動停止及び回転数をそれぞれ制御する。
【００３３】
実施例１を使用する際は、先ず、水槽１に水を注入し可撓膜６に到達させ満たす。
次に、患者を、水槽１の開口部５を覆った可撓膜６上に乗せる。開口部５に張設されている可撓膜６の張力、及び水槽１内の水の浮力が作用し、患者を支持する。
【００３４】
続いて、上・下半身ポンプ２１ａ・２１ｂを駆動させると、該ポンプ２１ａ・２１ｂは吸入口２２から水槽１内の水を吸入し、吸入した水をノズル２から噴射する。
可撓膜６は、伸縮性を有しているので、患者に押されて自在に変形し患者外形状によく添うと共に、噴射水の圧力を受けて自在に凸状に変形する。
【００３５】
可撓膜６に噴射水が衝突し該可撓膜６は上方に瞬時突出変形し、可撓膜６を介して患者を押圧しマッサージ刺激を与える。
可撓膜６は、噴出水の衝撃に係るエネルギーの減衰を少なくして、当該エネルギーを患者に伝導する。
【００３６】
前記ノズル２は、台８と一体に縦方向に移動し、ノズル円盤１１と一体に回転しながら横方向に移動する。
【００３７】
マッサージ態様を示すと、上半身側のノズル円盤１１は大径であるので此れが回動すると水槽１の横方向の端まで移動し、患者の上半身の肩、背中、腰等の全幅に亘ってマッサージを施す。
【００３８】
下半身側のノズル円盤１１は小径であるので此れが回動すると水槽１の横方向の小範囲に移動し、患者の下肢にマッサージを施す。
上半身側の台８を縦方向に往復移動させるとノズル２は、患者の肩、背中、腰等の下方（＝低位置）を移動し、肩、背中、腰に上方向噴射水をもって水圧マッサージを付与する。
下半身側の台８を縦方向に往復移動させるとノズル２は、下肢の下方（＝低位置）を移動し、下肢に上方向噴射水をもって水圧マッサージを付与する。
【００３９】
上半身側と下半身側の内、マッサージを重視する側のノズル２は、水平面状の回動を低速に行なわせ、及び身長方向への移動を低速に行なわせ又は停止させる。
重視しない側のノズル２は水平面状の回動及び身長方向への移動を高速に行なわせる。
例えば、上半身側のマッサージを重視する場合、上半身回動制御器２９ａを小値に設定し、上半身側のノズル２を水平面状の回動を低速に行なう。
上半身モータ回転速度制御器３１ａを小値又は零に設定し、上半身側のノズル２を縦方向の移動を低速に行ない又は停止する。低速に動く前記ノズル２から水を患者の上半身に向けて噴射し、マッサージを行なう。
【００４０】
マッサージを重視しない下半身側のノズル２は、下半身回動制御器２９ｂを大値に設定し、水平面状の回動を高速に行なう。
下半身モータ回転速度制御器３１ｂを大値に設定し、下半身側のノズル２を縦方向の移動を高速に行ない、高速に動く前記ノズル２から水を患者の下半身に向けて噴射し、マッサージを行なう。
【００４１】
ノズル２は台８に載設され、上半身側と下半身側の各台８は縦方向移動のストロークがそれぞれ調節可能であり、マッサージを重視する人体部位の長さに対応して、ノズル２の移動ストロークを設定できる。
例えば、マッサージを重視する人体部位が両肩の場合は、上半身側の台８を患者の肩の下方位置に移動させ、上半身移動範囲制御器３２ａを小値に設定し、縦方向へ小ストロークに台８を往復移動させ、上半身側のノズル２から水を患者に向けて噴射し、マッサージを行なう。
この作動と同時に、下半身側の台８は、背中、腰、下肢等の適宜箇所の下方低位置に移動させ、縦方向へ適宜なストロークに台８を往復移動させ、下半身側のノズル２から水を患者に向けて噴射し、マッサージを行なう。
図２中、４０は枕である。
【実施例２】
【００４２】
図３に示す実施例２は、実施例１の上半身側の台８を固定台３８に代えたものである。
実施例２は、上半身側に固定台３８を二個載置し、止め具３４で水槽１の両側壁の上部へ取り付ける。固定台３８には大径ノズル円盤１１ａが設けられ、該大径ノズル円盤１１ａにノズル２が形成される。
他の例として、前述した二個の固定台３８を三個又は三個以上としてもよい。
【００４３】
実施例２は、上半身側と下半身側の内、マッサージを重視する上半身側を固定台３８としたものである。図３に示すものは上半身側のマッサージを重視している。
マッサージを重視しない下半身側の台８は、縦方向に移動する。台８には小径ノズル円盤１１ｂが載設される。
【００４４】
縦方向には非移動の大径ノズル円盤１１ａのノズル２で患者の上半身にマッサージを行ない、縦方向に移動する小径ノズル円盤１１ｂのノズル２で患者の下半身にマッサージする。
図３中、３９は、止め具を掛止する止め穴である。
【実施例３】
【００４５】
図４に示す実施例３は、実施例１の上・下半身移動モータ１６ａ・１６ｂを、兼用移動モータ３５に代え、上・下半身移動ネジ軸１５ａ・１５ｂを兼用ネジ軸３６に代え、上・下半身回動モータ１８ａ・１８ｂを、兼用回動モータ４１に代え、上・下半身回動用軸１７ａ・１７ｂを兼用回動用軸４２に代えたものである。
【００４６】
実施例３は、一本の兼用ネジ軸３６の上半身側と下半身側に同じ右ネジを形成し、前記兼用ネジ軸３６を兼用移動モータ３５で正回転又は逆回転させる。
兼用ネジ軸３６に螺着した上・下半身側の台８・８は、患者頭側方向へ又は患者足側方向へ、同時に同方向へ移動する。
一本の前記兼用ネジ軸３６において、上半身側の右ネジのピッチと下半身側の右ネジのピッチを互いに異なるものとして、上半身側と下半身側の各台８・８の移動速さ及び移動範囲を互いに異ならせる。
【００４７】
兼用ネジ軸３６の他の例では、一本の兼用ネジ軸の上半身側に左ネジを形成し下半身側に右ネジを形成する。当該ネジ軸に螺着した上半身側の台８と下半身側の台８は、互いに接近方向に移動したり、或いは互いに離間する方向へ移動する。
【実施例４】
【００４８】
図５に示す実施例４は、実施例１のノズル２及びノズル円盤１１の構成を、ノズル２、導水管４４及び伸縮調節具４５の構成に代えたものである。
実施例４に係る台８の上面には歯車２０が回動可能に設けられる。上半身回動モータ１８ａの回動がウォームギア１９を介して歯車２０に伝導される。
歯車２０の回転中心軸４３から導水管４４を上方にそして水平方向に延設し、導水管４４の先端に、ノズル２を上向きに設ける。導水管４４には、ノズル２の回転半径を調節する伸縮調節具４５が設けられる。
歯車２０が回動するとこれと共にノズル２も回転中心軸４３を中心に回動する。
【実施例５】
【００４９】
図６に示す実施例５は、実施例１の下半身側の台８に載設された手前・奥の両歯車２０・２０を、手前・奥の両小径歯車２０ａ・２０ａに代えたものである。
実施例５では、ウォームギア１９と奥側の小径ギア２０ａとの間に、ウォームギア１９の回転を奥側の小径ギア２０ａへ伝える伝導ギア４６が、台２に設けられる。
【実施例６】
【００５０】
図７に示す実施例６は、実施例１の上・下半身移動ネジ軸１５ａ・１５ｂを、一本のベルト４７に代えたものである。
実施例６に係るベルト４７は、水槽１に設けられた三個のプーリー５０と、駆動プーリー５１とに掛け回される。駆動プーリー５１が回動するとベルト４７は周回する。
【００５１】
ベルト４７を上半身側の台８に上半身ベルト止め４８で掛止し、及び、ベルト４７を下半身側の台８に下半身奥ベルト止め４９ｂで掛止したものでは、ベルト４７が右に回わると、上・下半身側の二つの台８が互いに接近し、ベルト４７が左に回わると、前記二つの台８が互いに離間する。
ベルト４７を上半身側の台８に上半身ベルト止め４８で掛止し、及び、ベルト４７を下半身手前ベルト止め４９ａで掛止したものでは、ベルト４７が右又は左に回わると、前記二つの台８が互いに同間隔のままで右方へ又は左方へ移動する。
【産業上の利用可能性】
【００５２】
上半身側のノズル２に係る移動範囲及び／又は移動速さの値が、下半身側のノズル２に係る移動範囲及び／又は移動速さの値とが異なるものに構成して、上半身及び下半身へ個別に要求される好適なマッサージを施すことができる上下半身水圧マッサージ機に適用できる。
【図面の簡単な説明】
【００５３】
【図１】本発明の実施例１に係る水槽の内部を透視した平面図及び電気的構成のブロック図を示す図である。
【図２】本発明の実施例１に係る水槽の内部を透視した正面図である。
【図３】本発明の実施例２に係る水槽の内部を透視した平面図である。
【図４】本発明の実施例３に係る水槽の内部を透視した平面図である。
【図５】本発明の実施例４に係るノズルを示す図である。
【図６】本発明の実施例５に係る水槽の内部を透視した平面図である。
【図７】本発明の実施例６に係る水槽の内部を透視した平面図である。
【符号の説明】
【００５４】
１  水槽
２  ノズル
６  可撓膜
８  台
１１  ノズル円盤
１１ａ大径ノズル円盤
１１ｂ小径ノズル円盤
２０  歯車
３１ａ上半身モータ回転速度制御器
３１ｂ下半身モータ回転速度制御器
３２ａ上半身移動範囲制御器
３２ｂ下半身移動範囲制御器
３７  水圧マッサージ機
３８  固定台
４３  回転中心軸
【図１】
2006212100.tif 000003
【図２】
2006212100.tif 000004
【図３】
2006212100.tif 000005
【図４】
2006212100.tif 000006
【図５】
2006212100.tif 000007
【図６】
2006212100.tif 000008
【図７】
2006212100.tif 000009